(57)【特許請求の範囲】
【請求項１】
電力負荷と、前記電力負荷に電力を供給する分散型電源と、前記電力負荷及び前記分散型電源に接続される蓄電池と、を有する需要家において、前記蓄電池の充電、放電、充電及び放電の停止が各時間帯に対して予め計画される制御計画に従って、前記蓄電池の充放電を制御する充放電制御装置であって、
前記蓄電池の充電及び放電の停止が予め計画されている時間帯において、前記需要家に供給される電力の第１買電価格が前記蓄電池に充電された容量に対応する充電累積単価より低い場合、前記充電累積単価及び現在の買電価格の第１価格差と前記現在の買電価格及び将来の第２買電価格の第２価格差とを比較する第１比較装置と、
前記第１価格差が前記第２価格差より小さい場合、前記現在の買電価格と前記充電累積単価に応じた価格とを比較する第２比較装置と、
前記現在の買電価格が前記充電累積単価に応じた価格より高い場合、前記分散型電源の発電量と前記電力負荷の電力消費量との差に応じて、前記需要家の経済的利益が発生するものとして、前記蓄電池を放電するように制御する制御装置と、
を備えたことを特徴とする充放電制御装置。
【請求項２】
前記分散型電源の発電量と前記電力負荷の電力消費量とを比較する第３比較装置を更に備え、
前記制御装置は、前記分散型電源の発電量が前記電力負荷の電力消費量より少ない場合、前記分散型電源による余剰電力はないものとして、前記蓄電池を放電するように制御する
ことを特徴とする請求項１に記載の充放電制御装置。
【請求項３】
前記制御装置は、前記現在の買電価格が前記充電累積単価に応じた価格より低い場合、前記蓄電池を充放電しないように制御する
ことを特徴とする請求項１又は２に記載の充放電制御装置。
【請求項４】
前記第１価格差が前記第２価格差より大きい場合、前記現在の買電価格に応じた価格と前記充電累積単価とを比較する第４比較装置を更に備え、
前記制御装置は、前記現在の買電価格に応じた価格が前記充電累積単価より低い場合、前記需要家の経済的利益が発生するものとして、前記蓄電池を充電するように制御する
ことを特徴とする請求項２又は３に記載の充放電制御装置。
【請求項５】
前記制御装置は、前記分散型電源の発電量が前記電力負荷の電力消費量より少ない場合、前記分散型電源による余剰電力はないものとして、前記蓄電池を充電するように制御する
ことを特徴とする請求項４に記載の充放電制御装置。
【請求項６】
前記制御装置は、前記現在の買電価格に応じた価格が前記充電累積単価より高い場合、前記蓄電池を充放電しないように制御する
ことを特徴とする請求項４又は５に記載の充放電制御装置。
【請求項７】
前記制御計画は、１日の中で１時間を単位とする２４の時間帯に対して予め計画される
ことを特徴とする請求項１乃至６の何れかに記載の充放電制御装置
【請求項８】
前記制御装置は、前記２４の各時間帯に対して前記蓄電池の充放電を制御する
ことを特徴とする請求項７に記載の充放電制御装置。
【請求項９】
電力負荷と、前記電力負荷に電力を供給する分散型電源と、前記電力負荷及び前記分散型電源に接続される蓄電池と、を有する需要家において、前記蓄電池の充電、放電、充電及び放電の停止が各時間帯に対して予め計画される制御計画に従って、前記蓄電池の充放電を制御する充放電制御装置に、
前記蓄電池の充電及び放電の停止が予め計画されている時間帯において、前記需要家に供給される電力の第１買電価格が前記蓄電池に充電された容量に対応する充電累積単価より低い場合、前記充電累積単価及び現在の買電価格の第１価格差と前記現在の買電価格及び将来の第２買電価格の第２価格差とを比較する機能と、
前記第１価格差が前記第２価格差より小さい場合、前記現在の買電価格と前記充電累積単価に応じた価格とを比較する機能と、
前記現在の買電価格が前記充電累積単価に応じた価格より高い場合、前記分散型電源の発電量と前記電力負荷の電力消費量との差に応じて、前記需要家の経済的利益が発生するものとして、前記蓄電池を放電するように制御する機能と、
を実現させるプログラム。
【請求項１０】
電力負荷と、前記電力負荷に電力を供給する分散型電源と、前記電力負荷及び前記分散型電源に接続される蓄電池と、を有する需要家において、前記蓄電池の充電、放電、充電及び放電の停止が各時間帯に対して予め計画される制御計画に従って、前記蓄電池の充放電を制御する充放電制御方法であって、
前記蓄電池の充電及び放電の停止が予め計画されている時間帯において、前記需要家に供給される電力の第１買電価格が前記蓄電池に充電された容量に対応する充電累積単価より低い場合、前記充電累積単価及び現在の買電価格の第１価格差と前記現在の買電価格及び将来の第２買電価格の第２価格差とを比較し、
前記第１価格差が前記第２価格差より小さい場合、前記現在の買電価格と前記充電累積単価に応じた価格とを比較し、
前記現在の買電価格が前記充電累積単価に応じた価格より高い場合、前記分散型電源の発電量と前記電力負荷の電力消費量との差に応じて、前記需要家の経済的利益が発生するものとして、前記蓄電池を放電するように制御する
ことを特徴とする充放電制御方法。
【発明の詳細な説明】
【技術分野】
【０００１】
本発明は、充放電制御装置、プログラム、充放電制御方法に関する。
【背景技術】
【０００２】
蓄電池の充放電を制御する充放電装置として、例えば以下の特許文献１に示す装置が知られている。
【先行技術文献】
【特許文献】
【０００３】
【特許文献１】特開２０１１−２４４６８２号公報
【発明の概要】
【発明が解決しようとする課題】
【０００４】
例えば、特許文献１の充放電装置は、電力の売買価格と基準価格との比較結果に基づいて蓄電池の充放電を制御している。しかし、上記の充放電装置による充放電の制御では、充放電装置を有する需要家の経済的利益が考慮されていない。従って、充放電装置を用いて蓄電池を充放電したときに、需要家の経済的利益を発生しない状態が起こり得る。【０００５】
そこで、本発明は、需要家の経済的利益が発生するように蓄電池の充放電を制御する充放電制御装置を提供することを目的とする。
【課題を解決するための手段】
【０００６】
前述した課題を解決する主たる本発明は、電力負荷と、前記電力負荷に電力を供給する分散型電源と、前記電力負荷及び前記分散型電源に接続される蓄電池と、を有する需要家において、前記蓄電池の充電、放電、充電及び放電の停止が各時間帯に対して予め計画される制御計画に従って、前記蓄電池の充放電を制御する充放電制御装置であって、前記蓄電池の充電及び放電の停止が予め計画されている時間帯において、前記需要家に供給される電力の第１買電価格が前記蓄電池に充電された容量に対応する充電累積単価より低い場合、前記充電累積単価及び現在の買電価格の第１価格差と前記現在の買電価格及び将来の第２買電価格の第２価格差とを比較する第１比較装置と、前記第１価格差が前記第２価格差より小さい場合、前記現在の買電価格と前記充電累積単価に応じた価格とを比較する第２比較装置と、前記現在の買電価格が前記充電累積単価に応じた価格より高い場合、前記分散型電源の発電量と前記電力負荷の電力消費量との差に応じて、前記需要家の経済的利益が発生するものとして、前記蓄電池を放電するように制御する制御装置と、を備える。
【０００７】
本発明の他の特徴については、添付図面及び本明細書の記載により明らかとなる。
【発明の効果】
【０００８】
本発明によれば、需要家の経済的利益が発生するように蓄電池の充放電を制御することが可能になる。
【図面の簡単な説明】
【０００９】
【図１】本発明の第１実施形態に係る充放電制御装置が適用される配電系統を示す図である。
【図２】本発明の第１実施形態に係る充放電制御装置のハードウエアの構成を示すブロック図である。
【図３】本発明の第１及び第２実施形態に係る充放電制御装置の機能を示すブロック図である。
【図４】本発明の第１実施形態に係る充放電制御装置で用いられる第１価格情報を示すグラフである。
【図５】本発明の第１実施形態に係る充放電制御装置で用いられる第１価格情報を示す図である。
【図６】本発明の第１実施形態に係る充放電制御装置で用いられる第２価格情報を示す図である。
【図７】本発明の第１実施形態に係る充放電制御装置で用いられる制御計画を示す図である。
【図８】本発明の第１実施形態に係る充放電制御装置の機能である計画部の動作を示すフローチャートである。
【図９】本発明の第１実施形態に係る充放電制御装置が適用される配電系統内の蓄電池に対する電力の入出力のイメージを示す図である。
【図１０】本発明の第１実施形態に係る充放電制御装置が適用される配電系統内の需要家の状態や蓄電池の制御等を示す図である。
【図１１】本発明の第１実施形態に係る充放電制御装置の動作を示すフローチャートである。
【図１２】本発明の第２実施形態に係る充放電制御装置で用いられる第４価格情報を示すグラフである。
【図１３】本発明の第２実施形態に係る充放電制御装置の動作を示すフローチャートである。
【発明を実施するための形態】
【００１０】
本明細書および添付図面の記載により、少なくとも以下の事項が明らかとなる。
[第１実施形態]
＝＝＝配電系統＝＝＝
図１は、本実施形態に係る充放電制御装置が適用される配電系統の一例を示す図である。以下、図１を参照しながら配電系統１００について説明する。
【００１１】
配電系統１００は、需要家１０に対して電力を供給するための電力系統であって、配電用変圧器１０１、配電線Ｌ１、需要家１０を含んで構成されている。
【００１２】
配電用変圧器１０１の一次側には、上流側の発電所に設置された発電機（不図示）から電力が供給される。配電用変圧器１０１の二次側には、配電線Ｌ１の一端が接続される。配電線Ｌ１は、配電用変圧器１０１の二次側に接続されている一端を上流側として、下流側に向かって延設されている。
【００１３】
需要家１０は、配電線Ｌ１から電力が供給され、或いは、配電線Ｌ１に対して電力を供給する工場や一般家庭等である。需要家１０は、計測装置Ｍ１、充放電装置１１、蓄電池１２、負荷Ｒ１、充放電制御装置３、分散型電源Ｇ１を有する。尚、需要家１０には、負荷Ｒ１及び分散型電源Ｇ１が複数個ずつ設けられていることとしてもよい。
【００１４】
負荷Ｒ１は、負荷Ｒ１の電力消費量に応じた電力Ｗ１が供給される電力負荷である。
【００１５】
計測装置Ｍ１は、配電線Ｌ１から需要家１０に供給される電力を計測するとともに、需要家１０から配電線Ｌ１に供給される電力を計測する、例えばスマートメータである。計測装置Ｍ１は、負荷Ｒ１の電力消費量及び分散型電源Ｇ１の発電量を計測し、各計測結果を示す計測情報を出力する。更に、計測装置Ｍ１は、例えば電気事業者等（不図示）から受信した第１価格情報Ｔ１を出力する。尚、第１価格情報Ｔ１の詳細については、後述する。
【００１６】
分散型電源Ｇ１は、発電量に応じた電力Ｗ２を出力し、負荷Ｒ１等に電力を供給する例えば風力や太陽光等の自然エネルギーを利用する発電装置である。
【００１７】
蓄電池１２は、分散型電源Ｇ１及び負荷Ｒ１に接続されており、充放電される。
【００１８】
充放電装置１１は、充放電制御装置３によって制御され、蓄電池１２を充電、放電、充電及び放電の停止、の何れかの状態に設定するための装置である。
【００１９】
充放電制御装置３は、蓄電池１２の充放電の制御計画Ｔ３を作成し、充放電装置１１を制御する装置である。
＝＝＝充放電制御装置＝＝＝
図２は、本実施形態に係る充放電制御装置のハードウエアの構成を示すブロック図であり、図３は、本実施形態に係る充放電制御装置の機能を示すブロック図である。以下、図２及び図３を参照しながら配電系統１００について説明する。
【００２０】
充放電制御装置３は、ＣＰＵ（Central Processing Unit）３１、通信装置３２、記憶装置３３、表示装置３４、入力装置３５を含んで構成される。ＣＰＵ３１は、記憶装置３３に記憶されているプログラムを実行することにより充放電制御装置３の各種機能を実現し、充放電制御装置３を統括制御する。記憶装置３３には、上記のプログラムの他に、各種情報を示すデータが記憶されている。表示装置３４は、充放電制御装置３の情報を表示するディスプレイである。入力装置３５は、充放電制御装置３に対して情報を入力するための例えばキーボード、マウス等である。通信装置３２は、通信ネットワーク３００を介して計測装置Ｍ１及び充放電装置１１との間で通信を行う。通信装置３２は、計測装置Ｍ１から計測情報及び第１価格情報Ｔ１を受信する。
【００２１】
充放電制御装置３は、ＣＰＵ３１が記憶装置３３に記憶されているプログラムを実行することにより実現される各種機能として、計画部３６、余剰判定部３７、経済性判定部３８、累積単価演算部３９、制御部４０を有する。
【００２２】
計画部３６は、第１価格情報Ｔ１に基づいて蓄電池１２の制御計画Ｔ３を作成する。
【００２３】
余剰判定部３７は、需要家１０で発生するＰＶ余剰電力についての判定を行う。ＰＶ余剰電力は、需要家１０に対して余剰であるとされる電力Ｗ２を示し、電力Ｗ２の値が電力Ｗ１の値を上回った際に発生する差分の電力である。ＰＶ余剰電力は、例えば、需要家１０から配電線Ｌ１に供給されて、需要家１０から電気事業者に対して売却される。或いは、ＰＶ余剰電力は、例えば、蓄電池１２に供給されて蓄電池１２が充電される。
【００２４】
経済性判定部３８は、蓄電池１２の充放電を制御することに基づく経済的メリットについての判定を行う。累積単価演算部３９は、充電累積単価Ｘを算出する。尚、充電累積単価Ｘは、蓄電池１２における現時点の充電容量を充電するために要した単位時間あたりの単価を表している。制御部４０は、充放電装置１１を制御することにより、蓄電池１２の充放電を制御する。
＝＝＝第１価格情報＝＝＝
図４は、本実施形態に係る充放電制御装置で用いられる第１価格情報を示すグラフであり、図５は、本実施形態に係る充放電制御装置で用いられる第１価格情報を示す図である。以下、図４及び図５を参照しながら第１価格情報について説明する。
【００２５】
第１価格情報Ｔ１は、各時間帯に対して電力価格の計画値及びＰＶ買取価格の計画値が対応付けられた情報である。尚、本実施形態において、各時間帯は、１日の中で１時間を単位として分割された２４個の時間帯であることとする。
【００２６】
電力価格は、リアルタイムプライシングに基づいて定められている。尚、リアルタイムプライシングとは、例えば、１日における１時間等の時間帯毎に電力価格が変動する電力料金制度を示している。
【００２７】
電力価格とは、配電線Ｌ１から需要家１０に供給される電力（「買電電力」とも称する）の価格（単価）と、蓄電池１２の放電により需要家１０から配電線Ｌ１に供給される電力（「売電電力」とも称する）の価格（単価）とを示している。尚、需要家１０から配電線Ｌ１に供給される電力には、売電電力と当該売電電力とは異なるＰＶ余剰電力とが含まれることになる。本実施形態において、第１価格情報Ｔ１に含まれる電力価格の計画値として、売電電力の価格と買電電力の価格は同価格に設定されている。例えば、第１価格情報Ｔ１として、時間帯Ｂ１における売電電力の価格及び買電電力の価格の双方は、Ａ１（円／ｋＷｈ）である。
【００２８】
又、ＰＶ買取価格は、単価変動に基づいて定められている。ＰＶ買取価格とは、ＰＶ余剰電力を需要家１０が売却する際の当該ＰＶ余剰電力の売却単価を示している。本実施形態において、ＰＶ買取価格は、１日の中で１時間を単位として分割された２４個の時間帯毎に変動する価格である。例えば、第１価格情報Ｔ１として、時間帯Ｂ１におけるＰＶ買取価格はＥ１（円／ｋＷｈ）である。
【００２９】
又、第１価格情報Ｔ１として、時間帯Ｂ１〜Ｂ１１の電力価格はＰＶ買取価格よりも高く、時間帯Ｂ１２〜Ｂ１５の電力価格はＰＶ買取価格よりも低く、時間帯Ｂ１６〜Ｂ２４の電力価格はＰＶ買取価格よりも高くなっている。
＝＝＝計画部＝＝＝
図６は、本実施形態に係る充放電制御装置で用いられる第２価格情報を示す図であり、図７は、本実施形態に係る充放電制御装置で用いられる制御計画を示す図であり、図８は、本実施形態に係る充放電制御装置の機能である計画部の動作を示すフローチャートである。尚、図７に示す制御計画Ｔ３の「制御」の欄において、時間帯Ｂ１〜Ｂ２４のうちの時間帯Ｂ２、Ｂ７、Ｂ９、Ｂ１０、Ｂ１２、Ｂ１５以外の時間帯においても、充電、放電、（充電及び放電の）停止のうちの何れかの制御が設定されているが、説明の便宜上、記載が省略されている。そして、図７に示す制御計画Ｔ３の「制御」の欄において、充電は蓄電池１２を充電させることを示し、放電は蓄電池１２を放電させることを示し、停止は蓄電池１２の充電及び放電を停止させることを示している。以下、図５〜図８を参照しながら計画部について説明する。
＜概要＞
計画部３６は、第１価格情報Ｔ１を並べ替えて第２価格情報Ｔ２を作成した後、第２価格情報Ｔ２における一対の時間帯を選択し、選択された一対の時間帯における制御を設定する。計画部３６は、第１価格情報Ｔ１における例えば２４時間分の全ての時間帯に対して制御を設定する。計画部３６は、上記の制御の設定が反映された制御計画Ｔ３を作成する。
＜詳細＞
計画部３６は、第１価格情報Ｔ１を取得する（ステップＳ１１）。計画部３６は、第１価格情報Ｔ１について、電力価格が安い順序に、時間帯と当該時間帯に対応する電力価格との組合せを並び替えて、第２価格情報Ｔ２を作成する（ステップＳ１２）。尚、図６において、Ａ１〜Ａ２４のうちの最安値Ａ１０を示す組み合わせが最上段に示され、最高値Ａ６を示す組み合わせが最下段に示されている。
【００３０】
計画部３６は、変数Ｋの値を１とする（ステップＳ１３）。尚、変数Ｋは、第２価格情報Ｔ２から一対の電力価格を選択する際に用いられる。変数Ｋの値が１の場合、電力価格Ａ１０、Ａ６が計画部３６によって選択される。又、変数Ｋの値が２の場合、電力価格Ａ１１、Ａ７が選択される。
【００３１】
計画部３６は、選択された一対の電力価格Ａ１０、Ａ６に基づいて、充放電価格比率を算出する。具体的には、計画部３６は、一対の電力価格のうちの価格が安い方の電力価格Ａ１０を被除数とし、価格が高い方の電力価格Ａ６を除数とする除算の結果を、変数Ｋの値が１のときの充放電価格比率とする。
【００３２】
尚、ステップＳ１４に示すＣｋ、Ｃ２４−（ｋ−１）は、第２価格情報Ｔ２における電力価格に対応している。Ｃｋ、Ｃ２４−（ｋ−１）のｋは、変数Ｋに対応している。例えば、変数Ｋの値が１の場合、ステップＳ１４に示すＣｋはＣ1となり、Ｃ２４−（ｋ−１）はＣ24となる。Ｃの添え字は、第２価格情報Ｔ２における電力価格が低い順序を示している。つまり、Ｃ1、Ｃ24は夫々、第２価格情報Ｔ２における電力価格Ａ１０、Ａ６を示すことになる。例えば、変数Ｋの値が１の場合、ＣｋはＡ１０を示し、Ｃ２４−（ｋ−１）はＡ６を示すことになり、変数Ｋの値が２の場合、ＣｋはＡ１１を示し、Ｃ２４−（ｋ−１）はＡ７を示すことになる。
【００３３】
計画部３６は、充放電価格比率が蓄電システムの充放電効率（「充放電効率」とも称する）よりも小さいか否かを判断する（ステップＳ１４）。
【００３４】
充放電効率とは、蓄電池１２に対して電力を充電するときの充電効率ｐと、蓄電池１２に充電されている電力を放電するときの放電効率ｑとの積である。例えば、充電効率ｐが０．９である場合、蓄電池１２に対して１（ｋＷｈ）の電力を供給すると、１（ｋＷｈ）の０．９倍に相当する０．９（ｋＷｈ）に対応する電力が充電されることとなる。又、例えば、放電効率ｑが０．９である場合、蓄電池１２に対して１（ｋＷｈ）に対応する電力が充電されているときに、蓄電池１２に充電されている電力を全て放電すると、１（ｋＷｈ）の０．９倍に相当する０．９（ｋＷｈ）の電力が蓄電池１２から放電されることとなる。
【００３５】
充放電価格比率が充放電効率よりも小さいと判断した場合（ステップＳ１４：ＹＥＳ）、計画部３６は、需要家１０の経済的メリットがあるものとして、選択された一対の電力価格に対応する時間帯に対して充電及び放電を設定する。具体的には、計画部３６は、一対の電力価格のうちの価格が安い方の電力価格としてのＡ１０に対応する時間帯Ｂ１０を充電制御に設定し、価格が高い方の電力価格としてのＡ６に対応する時間帯Ｂ６を放電制御に設定する（ステップＳ１５）。このとき、計画部３６は、制御計画Ｔ３に対して設定結果を反映させる。一方、充放電価格比率が充放電効率よりも小さくないと判断した場合（ステップＳ１４：ＮＯ）、計画部３６は、需要家１０の経済的メリットがないものとして、選択された一対の電力価格に対応する時間帯の双方を停止に設定する（ステップＳ１７）。このとき、計画部３６は、制御計画Ｔ３に対して設定結果を反映させる。
【００３６】
計画部３６は、変数Ｋの値が１２であるか否かについて判断する（ステップＳ１６）。変数Ｋの値が１２でないと判断した場合（ステップＳ１６：ＮＯ）、計画部３６は、第２価格情報Ｔ２において未だ全ての時間帯に対して制御が設定されていないものとして、変数Ｋの値に対して１を加算（ステップＳ１８）した後、ステップＳ１４の判断を再度実行する。一方、変数Ｋの値が１２であると判断した場合（ステップＳ１６：ＹＥＳ）、計画部３６は、第２価格情報Ｔ２において全ての時間帯に対して制御が設定されているものとして動作を終了する。
＝＝＝余剰判定部＝＝＝
以下、図１を参照しながら余剰判定部について説明する。
【００３７】
余剰判定部３７は、通信装置３２が受信した計測情報に基づいて、分散型電源Ｇ１の発電量が負荷Ｒ１の電力消費量よりも多いか否かを判定する。
【００３８】
発電量が電力消費量よりも多いと余剰判定部３７が判定した場合、ＰＶ余剰電力が発生しているため、当該ＰＶ余剰電力を用いて需要家１０の経済的メリット（経済的利益）が発生するように蓄電池１２の充放電を制御するのが好ましい。例えば、この場合、充放電制御装置３は、需要家１０においてダブル発電が行われないように制御したり、需要家１０によって売却されるＰＶ余剰電力の電力量が増大するように制御したり、充電累積単価Ｘが低下するように制御したりする。尚、ダブル発電とは、ＰＶ余剰電力と蓄電池１２の放電により出力される電力との双方が配電線Ｌ１に対して供給されることを言う。一方、発電量が消費電力量よりも少ないと余剰判定部３７が判定した場合、ＰＶ余剰電力は発生していないことになる。
＝＝＝累積単価演算部＝＝＝
図９は、本実施形態に係る充放電制御装置が適用される配電系統内の蓄電池に対する電力の入出力のイメージを示す図である。以下、図９を参照しながら累積単価演算部について説明する。
【００３９】
累積単価演算部３９は、放電可能電力量Ｓと充電累積単価Ｘを算出する。
【００４０】
放電可能電力量Ｓは、蓄電池１２の残蓄電量Ｗｂに基づいて放電することができる電力量の最大値に対応している。残蓄電量Ｗｂは、蓄電池１２の充電容量Ｗｃのうち現時点で充電されている充電量に対応している。累積単価演算部３９は、蓄電池１２に供給される電力量を示す充電電力量Ｗｔに基づいて放電可能電力量Ｓを算出するか、或いは、残蓄電量Ｗｂに基づいて放電可能電力量Ｓを算出する。具体的には、累積演算部３９は、式（１）、式（２）を用いて放電可能電力量Ｓを算出する。
［数１］
放電可能電力量Ｓ＝残蓄電量Ｗｂ＊放電効率ｑ・・・（１）
［数２］
放電可能電力量Ｓ＝充電電力量Ｗｔの合計＊充電効率ｐ＊放電効率ｑ・・・（２）
充電累積単価Ｘは、蓄電池１２を充電するために累積した買電電力の価格に応じて定まる価格である。累積単価演算部３９は、式（３）を用いて充電累積単価Ｘを算出する。
［数３］
充電累積単価Ｘｂ＝（放電可能電力量Ｓａ＊充電累積単価Ｘａ＋電力価格Ａｔ＊充電電力量Ｗｔ＊充電効率ｐ＊放電効率ｑ）／放電可能電力量Ｓｂ・・・（３）
尚、充電累積単価Ｘａ、Ｘｂは夫々、時間Ａにおける充電累積単価Ｘ、時間Ａよりも後の時間Ｂにおける充電累積単価Ｘを示している。放電可能電力量Ｓａ、Ｓｂは夫々、時間Ａにおける放電可能電力量Ｓ、時間Ｂにおける放電可能電力量Ｓを示している。電力価格Ａｔは、時間Ａから時間Ｂまでの時間帯における電力価格を示している。充電電力量Ｗｔは、時間Ａから時間Ｂまでの時間帯における充電電力量を示している。
＝＝＝経済性判定部、制御部＝＝＝
図１０は、本実施形態に係る充放電制御装置が適用される配電系統内の需要家の状態や蓄電池の制御等を示す図である。以下、図７〜図１０を参照しながら経済性判定部及び判定部について説明する。
【００４１】
経済性判定部３８は、需要家１０の経済的メリットについての各判定を行う。
＝蓄電池の充電が設定されている時間帯＝
制御計画Ｔ３において充電が設定されている時間帯（「充電予定時間帯」とも称する）に、経済性判定部３８は、電力価格がＰＶ買取価格よりも高いか否かを判定し、ＰＶ買取価格が充電累積単価Ｘよりも高いか否かも判定する。更に、充電予定時間帯に、経済性判定部３８は、ＰＶ買取価格が充電累積単価Ｘと所定単価との合計よりも高いか否かを判定する。
＝蓄電池の放電が設定されている時間帯＝
制御計画Ｔ３において放電が設定されている時間帯（「放電予定時間帯」とも称する）に、経済性判定部３８は、ＰＶ買取価格が電力価格よりも高いか否かを判定し、ＰＶ買取価格が充電累積単価Ｘよりも高いか否かも判定する。更に、放電予定時間帯に、経済性判定部３８は、ＰＶ買取価格に応じた価格が充電累積単価Ｘよりも高いか否かを判定する。尚、ＰＶ買取価格に応じた価格は、式（４）に基づいて経済性判定部３８によって算出されることとする。
［数４］
ＰＶ買取価格に応じた価格＝（ＰＶ買取価格Ｂｔ／充電効率ｐ＊放電効率ｑ）＋所定価格・・・（４）
＝蓄電池の充放電の停止が設定されている時間帯＝
制御計画Ｔ３において停止と設定されている時間帯（「停止予定時間帯」とも称する）に、経済性判定部３８は、電力価格が充電累積単価Ｘよりも高いか否かを判定する。又、経済性判定部３８は、電力価格が充電累積単価Ｘよりも低い場合、充電累積単価Ｘ及び電力価格の第１価格差と電力価格及び将来の電力価格の第２価格差との大小を比較し、第１価格差が第２価格差よりも小さいか否かを判定する。又、経済性判定部３８は、第１価格差が第２価格差よりも小さい場合、電力価格が充電累積単価Ｘ及び所定単価の合計よりも高いか否かを判定する。又、経済性判定部３８は、第１価格差が第２価格差よりも大きい場合、電力価格に応じた価格が充電累積単価Ｘよりも高いか否かを判定する。尚、電力価格に応じた価格は、式（５）に基づいて経済性判定部３８によって算出されることとする。
［数５］
電力価格に応じた価格＝電力価格Ａｔ／（充電効率ｐ＊放電効率ｑ）＋所定価格・・・（５）
制御部４０は、経済性判定部３８の判定結果に基づいて、蓄電池１２の充放電を制御する。尚、式（４）及び式（５）夫々の所定単価と、図１１のステップＳ２５において充電累積単価Ｘと合計される所定単価と、図１１のステップＳ３４において充電累積単価Ｘと合計される所定単価とは、０又は正の値であり、互いに異なる値であっても同じ値であってよいし、入力装置３５を介して入力される情報に基づいて設定されることとしてもよい。又、これらの所定単価は、経済性判定部３８による判定のマージンとしての機能を発揮する。
＝＝＝充放電制御装置の動作＝＝＝
図１１は、本実施形態における充放電制御装置の動作を示すフローチャートである。以下、図１、図１０及び図１１を参照しながら、本実施形態に係る充放電制御装置の動作について説明する。
【００４２】
充放電制御装置３は、前日最終の充電累積単価Ｘ、放電可能電力量Ｓ及び制御計画Ｔ３を読み込む（ステップＳ２１）。尚、ステップＳ２１において読み込まれる情報は、記憶装置３３に予め記憶されていることとしてもよい。
【００４３】
充放電制御装置３は、現在の時間帯が充電予定時間帯、放電予定時間帯、停止予定時間帯のうちの何れの時間帯であるかを判断する（ステップＳ２２）。例えば、現在の時間帯が時間帯Ｂ２、Ｂ７、Ｂ１０（図７）の夫々の場合、充放電制御装置３は、停止予定時間帯、放電予定時間帯、充電予定時間帯であると判断する。
＝充電予定時間帯の制御＝
現在の時間帯が充電予定時間帯であると判断された場合（ステップＳ２２：充電）、余剰判定部３７は、分散型電源Ｇ１の発電量が負荷Ｒ１の電力消費量よりも多いか否かを判定する（ステップＳ３１）。発電量が電力消費量よりも少ないと余剰判定部３７が判定した場合（ステップＳ３１：ＮＯ）、制御部４０は、契約電力範囲内で蓄電池１２が充電されるように制御する（ステップＳ３５）。一方、発電量が電力消費量よりも多いと余剰判定部３７が判定した場合（ステップＳ３１：ＹＥＳ）、ＰＶ余剰電力が発生しているものとして、以下の判定及び制御が行われる。
＜電力価格、ＰＶ買取価格＞
経済性判定部３８は、電力価格がＰＶ買取価格よりも高いか否かを判定する（ステップＳ３２）。電力価格がＰＶ買取価格よりも高いと経済性判定部３８が判定した場合（ステップＳ３２：ＹＥＳ）、蓄電池１２が充電されることに基づく需要家１０の経済的メリットが発生するものと経済性判定部３８が判定したことになる。この場合、制御部４０は、ステップＳ３５の動作を行う。この場合、ＰＶ余剰電力が蓄電池１２に供給されるため、買電電力の電力量が減少する。従って、需要家１０から電気事業者に支払われる対価の額が減少し、需要家１０の経済的メリットが発生する。
【００４４】
一方、電力価格がＰＶ買取価格よりも低いと経済性判定部３８が判定した場合（ステップＳ３２：ＮＯ）、経済性判定部３８は、ＰＶ買取価格が充電累積単価Ｘよりも高いか否かを判定する（ステップＳ３３）。
＜ＰＶ買取価格、充電累積単価Ｘ＞
ＰＶ買取価格が充電累積単価Ｘよりも低いと経済性判定部３８が判定した場合（ステップＳ３３：ＹＥＳ）、蓄電池１２が充電されることに基づく需要家１０の経済的メリットが発生すると経済性判定部３８が判定したことになる。この場合、制御部４０は、ステップＳ３５の動作を行う。従って、ステップＳ３２：ＹＥＳの場合と同様に需要家１０の経済的メリットが発生する。更に、充電累積単価Ｘの額が減少する点においても、需要家１０の経済的メリットが発生する。
【００４５】
一方、ＰＶ買取価格が充電累積単価Ｘよりも高いと経済性判定部３８が判定した場合（ステップＳ３３：ＮＯ）、経済性判定部３８は、ＰＶ買取価格が充電累積単価Ｘと所定単価との合計よりも高いか否かを判定する（ステップＳ３４）。
＜ＰＶ買取価格、充電累積単価Ｘと所定単価との合計＞
ＰＶ買取価格が充電累積単価Ｘと所定単価との合計よりも高いと経済性判定部３８が判定した場合（ステップＳ３４：ＹＥＳ）、蓄電池１２の充放電が停止されることに基づく需要家１０の経済的メリットが発生すると経済性判定部３８が判定したことになる。この場合、制御部４０は、蓄電池１２の充放電が停止されるように制御する（ステップＳ２７）。この場合、蓄電池１２に対してＰＶ余剰電力が供給されないため、需要家１０から電気事業者に対して売却されるＰＶ余剰電力の電力量を増大させることができる。従って、電気事業者から需要家１０に支払われる対価の額が増大し、需要家１０の経済的メリットが発生する。
【００４６】
一方、ＰＶ買取価格が充電累積単価Ｘと所定単価との合計よりも低いと経済性判定部３８が判定した場合（ステップＳ３４：ＮＯ）、蓄電池１２が充電されることに基づく需要家１０の経済的メリットが発生すると経済性判定部３８が判定したことになる。この場合、制御部４０は、ステップＳ３５の動作を行う。
【００４７】
ステップＳ３５の動作が行われると、充放電制御装置３は、充電電力量Ｗｔを積算し（ステップＳ３６）、放電可能電力量Ｓを計算し（ステップＳ３７）、充電累積単価Ｘを計算する（ステップＳ３８）。尚、ステップＳ３７において、充放電制御装置３は、ステップＳ３６で積算された充電電力量Ｗｔと充電効率ｐと放電効率ｑとの積と、ステップＳ３５において充電される前の放電可能電力量Ｓとの合計を放電可能電力量Ｓとして計算する。
【００４８】
充放電制御装置３は、制御計画Ｔ３の全ての時間帯において制御が行われたか否かを判断する（ステップＳ５８）。つまり、充放電制御装置３は、１日における蓄電池１２の制御が全て行われたか否かを判断する。１日における蓄電池１２の制御が全て行われたと判断した場合（ステップＳ５８：ＹＥＳ）、充放電制御装置３は、動作を終了する。一方、１日における蓄電池１２の制御が全て行われたと判断しない場合（ステップＳ５８：ＮＯ）、充放電制御装置３は、ステップＳ２２の判断を再度実行する。
＝放電予定時間帯の制御＝
現在の時間帯が放電予定時間帯であると判断された場合（ステップＳ２２：放電）、余剰判定部３７は、ステップＳ４１の判定を行う。尚、ステップＳ４１の判定は、ステップＳ３１の判定と同様である。発電量が電力消費量よりも少ないと余剰判定部３７が判定した場合（ステップＳ４１：ＮＯ）、制御部４０は、逆潮しない範囲で蓄電池１２が放電されるように制御する（ステップＳ５５）。尚、逆潮しない範囲とは、例えば、需要家１０において予め設定されている電力量の範囲内であることを示していることとしてもよい。ステップＳ５５の動作が行われると、充放電制御装置３は、放電電力量Ｐｔを積算し（ステップＳ５６）、放電可能電力量Ｓを計算（ステップＳ５７）した後、ステップＳ５８の判断を行う。尚、ステップＳ５７において、充放電制御装置３は、ステップＳ５５で放電される前の放電可能電力量Ｓに対するステップＳ５６で積算された放電電力量Ｐｔの差分を放電可能電力量Ｓとして計算する。
【００４９】
ステップＳ４１において、発電量が電力消費量よりも多いと余剰判定部３７が判定した場合（ステップＳ４１：ＹＥＳ）、ＰＶ余剰電力が発生しているものとして、以下の判定及び制御が行われる。
＜ＰＶ買取価格、電力価格＞
経済性判定部３８は、ＰＶ買取価格が電力価格よりも高いか否かを判定する（ステップＳ４２）。ＰＶ買取価格が電力価格よりも高いと経済性判定部３８が判定した場合（ステップＳ４２：ＮＯ）、蓄電池１２の充放電が停止されることに基づく需要家１０の経済的メリットが発生すると経済性判定部３８が判定したことになる。この場合、制御部４０は、ステップＳ２６の動作を行う。従って、需要家１０がダブル発電状態となるのを防止しつつ、ＰＶ余剰電力を需要家１０が電気事業者に売却することができる。よって、電気事業者から需要家１０に対して対価が支払われることになり、需要家１０の経済的メリットが発生する。
【００５０】
尚、ダブル発電状態とは、ＰＶ余剰電力と蓄電池１２の放電により出力される電力との双方が配電線Ｌ１に対して供給される状態である。ダブル発電状態となった場合は、ＰＶ買取価格の額が低下するように、需要家１０と電気事業者との間の電気契約により定められているため、需要家１０の経済的メリットを発生させて増大させるために、ダブル発電状態となるのを防止する必要がある。
【００５１】
一方、ＰＶ買取価格が電力価格よりも低いと経済性判定部３８が判定した場合（ステップＳ４２：ＹＥＳ）、経済性判定部３８は、ＰＶ買取価格が充電累積単価Ｘよりも高いか否かを判定する（ステップＳ４３）。
＜ＰＶ買取価格、充電累積単価Ｘ＞
ＰＶ買取価格が充電累積単価Ｘよりも高いと判定した場合（ステップＳ４３：ＮＯ）、蓄電池１２の充放電が停止されることに基づく需要家１０の経済的メリットが発生すると経済性判定部３８が判定したことになる。この場合、制御部４０は、ステップＳ２６の動作を行う。従って、ステップＳ４２：ＮＯの場合と同様に経済的メリットが発生する。
【００５２】
一方、ＰＶ買取価格が充電累積単価Ｘよりも低いと経済性判定部３８が判定した場合（ステップＳ４３：ＹＥＳ）、ＰＶ買取価格に応じた価格が充電累積単価Ｘよりも高いか否かを判定する（ステップＳ４４）。
＜ＰＶ買取価格に応じた価格、充電累積単価Ｘ＞
ＰＶ買取価格に応じた価格が充電累積単価Ｘよりも低いと経済性判定部３８が判定した場合（ステップＳ４４：ＹＥＳ）、蓄電池１２が充電されることに基づく需要家１０の経済的メリットが発生すると経済性判定部３８が判定したことになる。この場合、制御部４０は、ＰＶ余剰電力が蓄電池１２に充電されるように制御する（ステップＳ４５）。この場合、ステップＳ３３：ＹＥＳの場合と同様に経済的メリットが発生することになる。更に、需要家１０がダブル発電状態となるのが防止される。ステップ４５の動作が行われると、充放電制御装置３は、ステップＳ４６〜Ｓ４８の動作を行った後、ステップＳ５８の判断を行う。尚、ステップＳ４６〜Ｓ４８の夫々の動作は、ステップＳ３６〜Ｓ３８の動作と同様である。
【００５３】
一方、ＰＶ買取価格に応じた価格が充電累積単価Ｘよりも高いと経済性判定部３８が判定した場合（ステップＳ４４：ＮＯ）、蓄電池１２の充放電が停止されることに基づく需要家１０の経済的メリットが発生すると経済性判定部３８が判定したことになる。この場合、制御部４０は、ステップＳ２６の動作を行う。
＝停止予定時間帯の制御＝
＜電力価格、充電累積単価＞
現在の時間帯が停止予定時間帯であると判断された場合（ステップＳ２２：停止）、経済性判定部３８は、電力価格が充電累積単価Ｘよりも高いか否かを判定する（ステップＳ２３）。
＜第１価格差、第２価格差＞
電力価格が充電累積単価Ｘよりも低いと経済性判定部３８が判定した場合（ステップＳ２３：ＹＥＳ）、経済性判定部３８は、充電累積単価Ｘと現在の電力価格Ｃｔとの第１価格差（Ｘ−Ｃｔ）が現在の電力価格Ｃｔと将来の電力価格Ａ１との第２価格差（Ｃｔ−Ａ１）より小さいか否かを判定する。即ち、経済性判定部３８は、蓄電池１２が放電することに基づく損失よりも充電することに基づく利益の方が大きいか否かを判定する（ステップＳ２４）。尚、将来の電力価格Ａ１とは、将来の時間帯に設定される予め分かっている電力価格である。
＜電力価格、充電累積単価に応じた価格＞
電力価格が充電累積単価Ｘよりも大きいと経済性判定部３８が判定した場合（ステップＳ２３：ＮＯ）、又は、第１価格差が第２価格差よりも小さいと経済性判定部３８が判定した場合（ステップＳ２４：ＹＥＳ）、経済性判定部３８は、現在の電力価格Ｃｔが充電累積単価Ｘと所定単価との合計よりも高いか否かを判定する。即ち、経済性判定部３８は、蓄電池１２が放電されることに基づく経済的メリットが発生するか否かを判定する（ステップＳ２５）。そして、現在の電力価格Ｃｔが充電累積単価Ｘと所定単価との合計よりも高いと経済性判定部３８が判定した場合（ステップＳ２５：ＹＥＳ）、ステップＳ４１の動作を行う。一方、現在の電力価格Ｃｔが充電累積単価Ｘと所定単価との合計よりも低いと経済性判定部３８が判定した場合（ステップＳ２５：ＮＯ）、ステップＳ２７の動作を行う。
＜電力価格に応じた価格、充電累積単価Ｘ＞
第１価格差が第２価格差よりも大きいと経済性判定部３８が判定した場合（ステップＳ２４：ＮＯ）、経済性判定部３８は、電力価格に応じた価格が充電累積単価Ｘよりも低いか否かを判定する。即ち、経済性判定部３８は、蓄電池１２が充電されることに基づく経済的メリットが発生するか否かを判定する（ステップＳ２６）。尚、電力価格に応じた値は、Ｃｔ／（ｐ＊ｑ）＋βで表される。βは所定価格である。そして、電力価格に応じた価格が充電累積単価Ｘよりも低いと経済性判定部３８が判定した場合（ステップＳ２６：ＹＥＳ）、ステップＳ３１の動作を行う。一方、電力価格に応じた価格が充電累積単価Ｘよりも高いと経済性判定部３８が判定した場合（ステップＳ２６：ＮＯ）、ステップＳ２７の動作を行う。
【００５４】
[第２実施形態]
第２実施形態における充放電制御装置３Ｂ（図３）は、第１実施形態の充放電制御装置３における経済性判定部３８以外の構成を有し、計画部３６、制御部４０を夫々、計画部３６Ｂ、制御部４０Ｂに変更したものである。充放電制御装置３Ｂのこれらの構成以外は充放電制御装置３の構成と同様である。
＝＝＝充放電制御装置＝＝＝
図１２は、本実施形態に係る充放電制御装置で用いられる第４価格情報を示すグラフであり、図１３は、本実施形態に係る充放電制御装置の動作を示すフローチャートである。尚、図１１と同様な動作には、同様な符号を付しその説明については省略する。以下、図３、図１２及び図１３を参照しながら充放電制御装置３Ｂについて説明する。
【００５５】
第４価格情報Ｔ４は、第１価格情報Ｔ１（図４）と同様な情報である。尚、第４価格情報Ｔ４のＰＶ買取価格は、固定単価に基づいて定められている。固定単価とは、各時間帯において変動しない単価を言う。又、第４価格情報Ｔ４のＰＶ買取価格は、電力価格よりも高く設定されている。
【００５６】
充放電制御装置３Ｂは、計画部３６Ｂ、余剰判定部３７、累積単価演算部３９、制御部４０Ｂを含んで構成される。
【００５７】
計画部３６Ｂは、第４価格情報Ｔ４に基づいて所定の制御計画を作成する。尚、計画部３６Ｂが所定の制御計画を作成する構成は、計画部３６が制御計画Ｔ３を作成する構成と同様である。
【００５８】
制御部４０Ｂは、余剰判定部３７の判定結果に基づいて蓄電池１２の充放電を制御する。
【００５９】
具体的には、余剰判定部３７は、ステップＳ６１、Ｓ６２（図１３）において、ステップＳ３１、Ｓ４１（図１１）と同様な判定を行う。分散型電源Ｇ１の発電量が負荷Ｒ１の電力消費量よりも少ないと余剰判定部３７が判定した場合（ステップＳ６１：ＮＯ、ステップＳ６２：ＮＯ）、制御部４０Ｂは、ステップＳ３５、Ｓ５５の動作を行う。一方、分散型電源Ｇ１の発電量が負荷Ｒ１の電力消費量よりも多いと余剰判定部３７が判定した場合（ステップＳ６１：ＹＥＳ、ステップＳ６２：ＹＥＳ）、制御部４０Ｂは、ＰＶ余剰電力が発生しているものとして、蓄電池１２が充放電されないように制御する（ステップＳ２７）。尚、ステップＳ６１：ＹＥＳの場合、ステップＳ３４：ＹＥＳの場合と同様な経済的メリットが発生する。又、ステップＳ６２：ＹＥＳの場合、ステップＳ４２：ＮＯの場合と同様な経済的メリットが発生する。
【００６０】
以上説明したように、充放電制御装置３は、負荷Ｒ１と、負荷Ｒ１に電力を供給する分散型電源Ｇ１と、負荷Ｒ１及び分散型電源Ｇ１に接続される蓄電池１２と、を有する需要家１０において、蓄電池１２の充電、放電、充電及び放電の停止が各時間帯に対して予め計画される制御計画Ｔ３に従って、蓄電池１２の充放電を制御する。充放電制御装置３は、蓄電池１２の充電及び放電の停止が予め計画されている時間帯において、需要家１０に供給される電力の電力価格Ａtが蓄電池１２に充電された容量に対応する充電累積単価Ｘより低い場合、充電累積単価Ｘ及び電力価格Ｃtの第１価格差（Ｘ−Ｃt）と現在の電力価格Ｃt及び将来の電力価格Ａ1の第２価格差（Ｃt−Ａ1）とを比較する。又、充放電制御装置３は、第１価格差が第２価格差より小さい場合、現在の電力価格Ｃtと充電累積単価Ｘと所定単価との合計とを比較する。又、充放電制御装置３は、現在の電力価格Ｃtが充電累積単価Ｘと所定単価との合計よりも高い場合、分散型電源Ｇ１の発電量と負荷Ｒ１の電力消費量との差に応じて、需要家１０の経済的利益が発生するものとして、蓄電池１２を放電するように制御する。従って、現在の時間帯が停止予定時間帯に設定されている場合であっても、蓄電池１２の充放電に基づく経済的メリットが発生するように、蓄電池１２の充放電を制御することが可能になる。
【００６１】
又、充放電制御装置３は、分散型電源Ｇ１の発電量と負荷Ｒ１の電力消費量とを比較し、分散型電源Ｇ１の発電量が負荷Ｒ１の電力消費量より少ない場合、分散型電源Ｇ１による余剰電力はないものとして、蓄電池１２を放電するように制御する。
【００６２】
又、充放電制御装置３は、現在の電力価格Ｃｔが充電累積単価Ｘと所定単価との合計より低い場合、蓄電池１２を充放電しないように制御する。
【００６３】
又、充放電制御装置３は、第１価格差が第２価格差より大きい場合、現在の電力価格Ｃｔに応じた価格と充電累積単価Ｘとを比較し、現在の電力価格Ｃｔに応じた価格が充電累積単価Ｘより低い場合、需要家１０の経済的メリットが発生するものとして、蓄電池１２を充電するように制御する。
【００６４】
又、充放電制御装置３は、分散型電源Ｇ１の発電量が負荷Ｒ１の電力消費量より少ない場合、分散型電源Ｇ１による余剰電力はないものとして、蓄電池１２を充電するように制御する。
【００６５】
又、充放電制御装置３は、現在の電力価格Ｃｔに応じた価格が充電累積単価Ｘより高い場合、蓄電池１２を充放電しないように制御する。
【００６６】
又、制御計画Ｔ３は、１日の中で１時間を単位とする２４の時間帯に対して予め計画される。
【００６７】
又、充放電制御装置３は、２４の各時間帯に対して蓄電池１２の充放電を制御する。
【００６８】
尚、第１及び第２実施形態は、本発明の理解を容易にするためのものであり、本発明を限定して解釈するためのものではない。本発明は、その趣旨を逸脱することなく、変更、改良され得るとともに、本発明にはその等価物も含まれる。
【００６９】
第１実施形態においては、ステップＳ３１：ＹＥＳの場合、ステップＳ３２〜Ｓ３４の判断及びこれらの判断結果に基づく制御が行われることについて説明したが、これに限定されるものではない。例えば、ステップＳ３１：ＹＥＳの後の判断として、ステップＳ３２〜Ｓ３４のうちの少なくとも１つの判断及び制御がされることしてもよい。つまり、ステップＳ３２〜Ｓ３４のうちの何れか１つのみが設けられていることとしてもよいし、ステップＳ３２、Ｓ３３のみ、又は、ステップＳ３３、Ｓ３４のみ、又は、ステップＳ３２、Ｓ３４のみが設けられていることとしてもよい。又、例えば、ステップＳ４１：ＹＥＳの場合も、同様にして、テップＳ４２〜Ｓ４４のうちの少なくとも１つの判断及び制御がされることしてもよい。
【００７０】
又、第１実施形態においては、分散型電源Ｇ１が太陽光発電装置であることについて説明したが、これに限定されるものではない。例えば、分散型電源Ｇ１が風力発電装置であることとしてもよい。
【００７１】
又、第１実施形態においては、制御計画Ｔ３が計画部３６によって作成されることについて説明したが、これに限定されるものではない。例えば、制御計画Ｔ３は予め定められていることとしてもよいし、制御計画Ｔ３を示す情報が入力装置３５を介して入力されることとしてもよい。
【００７２】
又、第１実施形態においては、第１価格情報Ｔ１が１時間毎の電力価格等を示していることについて説明したが、これに限定されるものではない。例えば、第１価格情報Ｔ１が３０分等毎の電力価格等を示していることとしてもよい。
【００７３】
又、第１実施形態においては、第１価格情報Ｔ１において、売電電力の価格と買電電力の価格とが同価格であることについて説明したが、これに限定されるものではない。例えば、同じ時間帯における売電電力の価格と買電電力の価格とが相互に異なることとしてもよい。
【００７４】
又、充放電制御装置３の構成と同様な構成を有する他の充放電制御装置を用いて、例えば、配電線Ｌ１に接続されているフライホイール等の電力貯蔵装置と配電線Ｌ１との間の電力の授受を制御することとしてもよい
又、例えば、充放電装置１１が充放電制御装置３の機能を発揮することとしてもよいし、計測装置Ｍ１が充放電制御装置３の機能を発揮することとしてもよい。
【００７５】
尚、本実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００７６】
Ｇ１  分散型電源
Ｒ１  負荷
Ｌ１  配電線
３，３Ｂ  充放電制御装置
１０  需要家
１１  充放電装置
１２  蓄電池
３１  ＣＰＵ
３２  通信装置
３３  記憶装置
３４  表示装置
３５  入力装置
３６，３６Ｂ  計画部
３７  余剰判定部
３８  経済性判定部
３９  累積単価演算部
４０，４０Ｂ  制御部
１００  配電系統
１０１  配電用変圧器
【要約】
電力負荷と、分散型電源と、蓄電池と、を有する需要家において、前記蓄電池の充電、放電、充電及び放電の停止が各時間帯に対して予め計画される制御計画に従って、前記蓄電池の充放電を制御する充放電制御装置であって、前記蓄電池の充電及び放電の停止が予め計画されている時間帯において、前記需要家に供給される電力の買電価格が前記蓄電池に充電された容量に対応する充電累積単価より低い場合、前記充電累積単価及び前記買電価格の第１価格差と前記買電価格及び将来の買電価格の第２価格差とを比較する第１比較装置と、前記第１価格差が前記第２価格差より小さい場合、前記買電価格と前記充電累積単価に応じた価格とを比較する第２比較装置と、前記買電価格が前記充電累積単価に応じた価格より高い場合、前記分散型電源の発電量と前記電力負荷の電力消費量との差に応じて、前記蓄電池を放電するように制御する制御装置と、を備える。【図１】
0005833283.tif 000002
【図２】
0005833283.tif 000003
【図３】
0005833283.tif 000004
【図４】
0005833283.tif 000005
【図５】
0005833283.tif 000006
【図６】
0005833283.tif 000007
【図７】
0005833283.tif 000008
【図８】
0005833283.tif 000009
【図９】
0005833283.tif 000010
【図１０】
0005833283.tif 000011
【図１１】
0005833283.tif 000012
【図１２】
0005833283.tif 000013
【図１３】
0005833283.tif 000014